(57)【要約】【課題】１本の導線の中間部分を分割することで複数本の導線が得られ、単一導線の幅の変更が図られ、導線の展延性が高められ、折曲時に生じる断裂による装置の不調を回避し、装置の使用効率を改善することが可能な導線及びその作製方法を提供する。【解決手段】本発明に係る導線は、有機発光ダイオード装置に用いられものであって、三部分を含み、第１部分１１及び第３部分１３は、導線の両端に位置付けられる単導線であり、第２部分１２は、第１部分１１と第３部分１３との間に位置付けられる複合導線であり、当該複合導線は、少なくとも２本の導線を含む。【選択図】図１
2019506748.tif 000002
【特許請求の範囲】
【請求項１】
有機発光ダイオードＯＬＥＤ装置に用いられる導線であって、
互いに接続される第１部分、第２部分及び第３部分を含み、前記第１部分及び前記第３部分は、前記導線の両端に位置付けられる単導線であり、
前記第２部分は、前記第１部分と前記第３部分との間に位置付けられる複合導線であり、
前記複合導線は、少なくとも２本の導線を含む
ことを特徴とする導線。
【請求項２】
前記複合導線に含まれるそれぞれの導線の形状は、平滑な曲線である
ことを特徴とする請求項１に記載の導線。
【請求項３】
前記複合導線に含まれる導線の形状は、円弧形状、正弦波 形状及び波形状のうちの１つ又は複数を含む
ことを特徴とする請求項２に記載の導線。
【請求項４】
前記複合導線に含まれる導線の幅の合計は、前記単導線の幅と同じ又は異なる
ことを特徴とする請求項１に記載の導線。
【請求項５】
請求項１から４までのいずれか１項に記載の導線を作製する方法であって、
ターゲット導線の先端からの第１長さを前記ターゲット導線の第１部分とすることと、
前記第１部分の基端からの第２長さの導線を、設定される導線幅に合わせるように少なくとも２本のサブ導線に切断することで、前記ターゲット導線の第２部分を取得することと、
前記少なくとも２本のサブ導線の基端において、前記少なくとも２本のサブ導線の基端を１本の導線にまとめることで、前記ターゲット導線の第３部分を取得することとを含み、
前記少なくとも２本のサブ導線の導線幅が、同じ又は異なる
ことを特徴とする導線作製方法。
【請求項６】
第２長さの導線を、設定される導線幅に合わせるように少なくとも２本のサブ導線に切断するとき、当該方法は、
切断により得られる少なくとも２本のサブ導線を平滑な曲線に作製することを更に含む
ことを特徴とする請求項５に記載の導線作製方法。
【請求項７】
前記少なくとも２本のサブ導線の形状は、円弧形状、正弦波形状及び波形状のうちの１つ又は複数を含む
ことを特徴とする請求項６に記載の導線作製方法。
【発明の詳細な説明】
【技術分野】
【０００１】
本発明は、薄膜トランジスターバックプレーンの技術領域に関し、特に導線及びその作製方法に関する。
【背景技術】
【０００２】
有機発光ダイオード（Ｏｒｇａｎｉｃ  Ｌｉｇｈｔ−Ｅｍｉｔｔｉｎｇ  Ｄｉｏｄｅ、ＯＬＥＤ）は、高輝度、広視角、低消費電力、及び広動作温度領域などの特性を有するため、最も将来性のある表示技術の一つとして注目されている。ハードな表示装置として、ＯＬＥＤ装置の最も大きな利点の１つは、フレキシブルディスプレイを実現することができ、折り畳み可能な電子パネル、巻曲可能な壁面テレビ及び装着可能なディスプレイなどを製作することで、有機半導体の魅力が表されている。
【０００３】
実際の応用において、ＯＬＥＤ装置の薄膜トランジスターバックプレーンには、複数の回路が含まれており、異なる回路間は、導線により接続されている。しかしながら、製作された折り畳み可能な電子パネル、巻曲可能な壁面テレビ及び装着可能なディスプレイなどのＯＬＥＤ装置については、折り畳みが必要な部分において、導線の屈曲が発生する必要性も出てくる。導線自身は、一定の展延性を有するものの、折り畳みの時間が長すぎ又は、折り畳みの回数が多過ぎると、導線にクラックを生じさせるおそれがある。そして、導線に断裂が発生する場合に、ＯＬＥＤ装置の通常動作に影響を与えるおそれがある。
【０００４】
従来、上記のような課題を解消するために、導線を孔開け固定により薄膜トランジスターバックプレーンに固定することが提案されているが、実際の応用において、このような方式であっても、折り畳み過程における導線断裂の課題を回避することができない。
【発明の概要】
【発明が解決しようとする課題】
【０００５】
本発明は、このような課題に鑑みてなされたものであり、折り畳み過程において導線に断裂が発生することによりＯＬＥＤ装置の通常動作ができなくなることを回避できないという従来技術の課題を解決可能な導線及びその作製方法を提供することを目的とする。
【課題を解決するための手段】
【０００６】
本発明に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本の導線を含むものである。
【０００７】
任意選択により、上記の構成において、前記複合導線に含まれるそれぞれの導線の形状は、平滑な曲線であってもよい。
【０００８】
任意選択により、上記の構成において、前記複合導線に含まれる導線の形状は、円弧形状、正弦波形状及び波形状のうちの１つ又は複数を含んでもよい。
【０００９】
任意選択により、上記の構成において、前記複合導線に含まれる導線の幅の合計は、前記単導線の幅と同じであってもよく、又は異なってもよい。
【００１０】
本発明に係る上記導線の作製方法は、ターゲット導線の先端からの第１長さを前記ターゲット導線の第１部分とすることと、前記第１部分の基端からの第２長さの導線を、設定される導線幅に合わせるように少なくとも２本のサブ導線に切断することで、前記ターゲット導線の第２部分を取得することと、前記少なくとも２本のサブ導線の基端において、前記少なくとも２本のサブ導線の基端を１本の導線にまとめることで、前記ターゲット導線の第３部分を取得することとを含み、前記少なくとも２本のサブ導線の導線幅が、同じ又は異なるものである。
【００１１】
任意選択により、上記の構成において、第２長さの導線を、設定される導線幅に合わせるように少なくとも２本のサブ導線に切断するとき、当該方法は、切断により得られる少なくとも２本のサブ導線を平滑な曲線に作製することを更に含んでもよい。
【００１２】
任意選択により、上記の構成において、前記少なくとも２本のサブ導線の形状は、円弧形状、正弦波形状 及び波形状のうちの１つ又は複数を含んでもよい。
【発明の効果】
【００１３】
本発明に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本の導線を含むものである。１本の導線の中間部分を複数本の導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用効率を有効に改善することができる。
【図面の簡単な説明】
【００１４】
本発明に係る実施例をより明確に説明するために、実施例の記述に用いられる図面を簡単に説明する。明らかなように、記述の図面は、本発明の実施例に過ぎない。当業者にとって、容易に想到し得る範囲内において、これらの図面に基づきその他の図面も得られる。
【図１】本発明の第１実施例に係る導線の構造概略図である。
【図２】本発明の第２実施例に係る導線の構造概略図である。
【図３】本発明の第３実施例に係る導線の構造概略図である。
【図４】本発明の実施例に係る導線の作製方法のフローチャートである。
【発明を実施するための形態】
【００１５】
本発明の目的を実現するために、本発明の実施例が導線及びその作製方法を提供する。当該導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本の導線を含むものである。１本の導線の中間部分を複数本の導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用効率を有効に改善することができる。
【００１６】
以下、図面を参照しながら本発明の各実施例を詳細に説明する。これらの実施例は、本発明の一部分の実施例に過ぎず、言うまでもなく全ての実施例ではない。本発明の実施例に基づき、当業者が、容易に想到し得る範囲内において、得られる他の実施例も、本発明の技術的範囲に含まれる。
【００１７】
図１は、本発明の第１実施例に係る導線の構造概略図である。前記導線は、３つの部分を含み、第１部分１１及び第３部分１３は、前記導線の両端に位置付けられる単導線であり、第２部分１２は、前記第１部分１１と前記第３部分１３との間に位置付けられる複合導線であり、前記複合導線は、少なくとも２本の導線を含むものである。
【００１８】
導線は、ＯＬＥＤ装置内部の重要な部品であり、ＯＬＥＤ装置の通常動作の可否を左右している。研究によれば、導線の幅と導線の屈曲寿命とは、表１に示すような関係を有している。
【００１９】
【表１】
2019506748.tif 000003
【００２０】
表１からわかるように、同一形状の導線については、導線の幅が大きければ、導線の屈曲寿命が短くなり、その主な原因は、幅の増加により導線中の金属線内部の欠陥も増加するため、屈曲領域の応力が相対的に集中し、クラックが拡張しやすくなり、導線の屈曲寿命が低下してしまう。同一幅の導線のうち、屈曲寿命が最も長いものは、曲線であり、その主な原因は、曲線が導線屈曲疲労時の応力発散に適している。折線の応力が、角に発生しやすくなったり、溜まりやすくなるので、クラックが生じ、疲労による失効が発生し、導線の屈曲寿命が低下してしまう。
【００２１】
また、ＯＬＥＤ装置では、導線を固定するための両端（すなわち、第１部分及び第３部分）は、固定される際に細すぎると断裂が発生しやすくなるので、第１部分及び第３部分は、単導線を用いるとともに、第２部分は、複合導線を用いることで、ＯＬＥＤ装置内部導線の屈曲寿命を増加させることができる。
【００２２】
任意選択により、前記複合導線に含まれるそれぞれの導線の形状は、平滑な曲線であってもよい。
【００２３】
任意選択により、前記複合導線に含まれる導線の形状は、円弧形状、正弦波形状及び波形状のうちの１つ又は複数を含んでもよい。
【００２４】
説明しておきたいのは、前記複合導線に含まれる導線の形状は、楕円形状、円形状、ダブル曲線形状、放物線形状などであってもよく、特に限定されることがない。
【００２５】
任意選択により、前記複合導線に含まれる導線の幅の合計は、前記単導線の幅と同じであってもよく、又は異なってもよい。
【００２６】
このように、１本の導線では、中間部分は平滑な曲線を用いることで、導線の中間部分に屈曲が発生した場合であっても、応力を均等に分布することができ、応力集中の現象の発生を回避することができ、導線の断裂発生を有効に回避することができる。
【００２７】
なお、導線の中間部分は、複合導線を用いるため、そのうちの１本の導線に断裂が発生した場合であっても、その他の導線は、通常に使用することが可能であり、ＯＬＥＤ装置全体の通常動作に影響を与えることがない。
【００２８】
図２は、本発明の第２実施例に係る導線の構造概略図である。
【００２９】
図２からわかるように、導線の第１部分及び第３部分の横断面積は、Ｓであり、第２部分の横断面積は、Ｓ／２であり、ここで、第２部分導線の形状は、楕円形状である。
【００３０】
図３は、本発明の第３実施例に係る導線の構造概略図である。
【００３１】
図３からわかるように、導線の第１部分及び第３部分の横断面積は、Ｓであり、第２部分の横断面積は、Ｓ／４であり、ここで、第２部分導線の形状は、楕円形状及び円形状である。
【００３２】
それぞれ図２及び図３に示される導線は、ＯＬＥＤ装置における導線の使用に影響を与えることなく、導線の展延性を向上させることができ、また、折り返した部分の導線を楕円形状とすることで、折り畳み過程において導線に断裂が発生することによりＯＬＥＤ装置の通常動作ができなくなるという課題を有効に回避でき、ＯＬＥＤの使用寿命を有効に改善することができる。
【００３３】
本発明の実施例に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本の導線を含むものである。１本の導線の中間部分を複数本の導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用寿命を有効に改善することができる。
【００３４】
図４は、本発明の実施例に係る導線の作製方法のフローチャートである。当該作成方法は、以下に示す。
【００３５】
ステップ４０１：ターゲット導線の先端からの第１長さを前記ターゲット導線の第１部分とする。ここで、第１長さは、ＯＬＥＤ装置の必要に応じて設定することができ、本発明の実施例により限定されるものではない。
【００３６】
ステップ４０２：前記第１部分の基端からの第２長さの導線を、設定される導線幅に合わせるように少なくとも２本のサブ導線に切断することで、前記ターゲット導線の第２部分を取得する。ここで、前記少なくとも２本のサブ導線の導線幅が、同じ又は異なってもよい。
【００３７】
ステップＳ４０２において、第２長さの導線を設定される導線幅に合わせるように少なくとも２本のサブ導線に切断することは、フォトリソグラフィで、切断してもよく、その他の方式で、切断してもよく、当該導線パターンのマスク（ｍａｓｋ）で直接製造してもよく、ここで、特に限定されない。
【００３８】
任意選択により、第２長さの導線を設定される導線幅に合わせるように少なくとも２本のサブ導線に切断するとき、当該方法は、切断により得られる少なくとも２本のサブ導線を平滑な曲線に作製することを更に含んでもよい。任意選択により、前記少なくとも２本のサブ導線の形状は、円弧形状、正弦波形状及び波形状のうちの１つ又は複数を含んでもよい。
【００３９】
ステップＳ４０３：前記少なくとも２本のサブ導線の基端において、前記少なくとも２本のサブ導線の基端を１本の導線にまとめることで、前記ターゲット導線の第３部分を取得する。
【００４０】
本発明の実施例に係る導線作製方法によれば、作製された導線は、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用効率を有効に改善することができる。
【００４１】
当業者にもわかるように、本発明の実施例は、方法、装置（設備）又はコンピュータプログラム製品を提供することができる。このため、本発明は、ハード実施例、ソフト実施例又はハードソフトを組み合わせた実施例の形態を用いている。さらに、本発明は、コンピュータ用記憶媒体（ディスクメモリー、ＣＤ−ＲＯＭ、光学メモリーなどを含むが、これらに限定されない）において実行されるコンピュータプログラム製品の形態を用いてもよく、コンピュータプログラム製品の１つ又は複数には、コンピュータ用プログラムコードが含まれている。
【００４２】
本発明は、本発明の実施例に係る方法、装置（設備）及びコンピュータプログラム製品のフローチャート及び／又はブロック図を参照して説明したものである。コンピュータプログラムの指令によりフローチャート及び／又はブロック図の各ステップ及び／又はブロック、及び、フローチャート及び／又はブロック図のステップ及び／又はブロックの組み合わせを実現することが理解されたい。このようなコンピュータプログラムの指令をパーソナルコンピュータ、専用コンピュータ、組み込みプロセッサ又はその他のプログラミング可能なデータプロセッサのプロセッサに提供することで、マシンが得られ、コンピュータ又はその他のプログラミング可能なデータプロセッサのプロセッサが指令を実行することで、フローチャートの１つ又は複数のステップ及び／又はブロック図の１つ又は複数のブロックに指定される機能の装置を実現することができる。
【００４３】
このようなコンピュータプログラムの指令は、コンピュータ又はその他のプログラミング可能なデータプロセッサに特定の形態で動作させるコンピュータ読み出し可能なメモリーに記憶させてもよく、これにより、コンピュータ読み出し可能なメモリーに記憶される指令に、指令装置を含む製品を生じさせ、当該指令装置は、フローチャートの１つ又は複数のステップ及び／又はブロック図の１つ又は複数のブロックに指定される機能を実現することができる。
【００４４】
このようなコンピュータプログラムの指令は、コンピュータ又はその他のプログラミング可能なデータプロセッサに搭載されてもよく、これにより、コンピュータ又はその他のプログラミング可能なデータプロセッサにおいて操作ステップを実行することで、コンピュータによる処理を実現し、コンピュータ又はその他のプログラミング可能なデータプロセッサにおいて実行される指令は、フローチャートの１つ又は複数のステップ及び／又はブロック図の１つ又は複数のブロックに指定される機能のステップを提供する。
【００４５】
本発明の好適実施例を詳細に説明したが、当業者にとって、本発明の基本的な技術思想さえわかっていれば、これらの実施例に変更又は改良を加えることが可能である。よって、好適実施例及び本発明範囲内の変更又は改良も、特許請求の範囲に含まれると解釈できる。
【００４６】
当業者にとって、本発明の範囲を逸脱しないように本発明に多様な変更及び変形を加えることが可能であることはいうまでもない。このように、本発明のこのような変更及び変形は、本発明の特許請求の範囲及び同等の技術範囲に属すれば、本発明は、このような変更及び変形を含むことを意図している。
【図１】
2019506748.tif 000004
【図２】
2019506748.tif 000005
【図３】
2019506748.tif 000006
【図４】
2019506748.tif 000007
【手続補正書】
【提出日】平成30年7月26日(2018.7.26)
【手続補正１】
【補正対象書類名】明細書
【補正対象項目名】０００６
【補正方法】変更
【補正の内容】
【０００６】
本発明に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本のサブ導線を含むものである。
【手続補正２】
【補正対象書類名】明細書
【補正対象項目名】０００７
【補正方法】変更
【補正の内容】
【０００７】
任意選択により、上記の構成において、前記複合導線に含まれるそれぞれのサブ導線の形状は、平滑な曲線であってもよい。
【手続補正３】
【補正対象書類名】明細書
【補正対象項目名】０００８
【補正方法】変更
【補正の内容】
【０００８】
任意選択により、上記の構成において、前記複合導線に含まれるサブ導線の形状は、円弧形状、正弦波形状及び波形状のうちの１つ又は複数を含んでもよい。
【手続補正４】
【補正対象書類名】明細書
【補正対象項目名】０００９
【補正方法】変更
【補正の内容】
【０００９】
任意選択により、上記の構成において、前記複合導線に含まれるサブ導線の幅の合計は、前記単導線の幅と同じであってもよく、又は異なってもよい。
【手続補正５】
【補正対象書類名】明細書
【補正対象項目名】００１０
【補正方法】変更
【補正の内容】
【００１０】
本発明に係る上記導線の作製方法は、ターゲット導線の先端からの第１長さの部分を前記導線の第１部分とすることと、前記第１部分の基端からのターゲット導線の第２長さの部分を、設定される導線幅に合わせるように少なくとも２本のサブ導線に切断することで、前記導線の第２部分を取得することと、前記少なくとも２本のサブ導線の基端において、前記少なくとも２本のサブ導線の基端を設定された第３長さの１本の導線にまとめることで、前記導線の第３部分を取得することとを含み、前記少なくとも２本のサブ導線の導線幅が、同じ又は異なるものである。
本発明において、他に記述しない限り、「ターゲット導線」の用語は、本発明の導線を製造するために使用されるターゲット導線に用いられる。
【手続補正６】
【補正対象書類名】明細書
【補正対象項目名】００１１
【補正方法】変更
【補正の内容】
【００１１】
任意選択により、上記の構成において、ターゲット導線の第２長さの部分を、設定される導線幅に合わせるように少なくとも２本のサブ導線に切断するとき、当該方法は、切断により得られる少なくとも２本のサブ導線を平滑な曲線に作製することを更に含んでもよい。
【手続補正７】
【補正対象書類名】明細書
【補正対象項目名】００１３
【補正方法】変更
【補正の内容】
【００１３】
本発明に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本のサブ導線を含むものである。１本の導線の中間部分を複数本のサブ導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用効率を有効に改善することができる。
【手続補正８】
【補正対象書類名】明細書
【補正対象項目名】００１５
【補正方法】変更
【補正の内容】
【００１５】
本発明の目的を実現するために、本発明の実施例が導線及びその作製方法を提供する。当該導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本のサブ導線を含むものである。１本の導線の中間部分を複数本のサブ導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用効率を有効に改善することができる。
【手続補正９】
【補正対象書類名】明細書
【補正対象項目名】００１７
【補正方法】変更
【補正の内容】
【００１７】
図１は、本発明の第１実施例に係る導線の構造概略図である。前記導線は、３つの部分を含み、第１部分１１及び第３部分１３は、前記導線の両端に位置付けられる単導線であり、第２部分１２は、前記第１部分１１と前記第３部分１３との間に位置付けられる複合導線であり、前記複合導線は、少なくとも２本のサブ導線を含むものである。
【手続補正１０】
【補正対象書類名】明細書
【補正対象項目名】００２２
【補正方法】変更
【補正の内容】
【００２２】
任意選択により、前記複合導線に含まれるそれぞれのサブ導線の形状は、平滑な曲線であってもよい。
【手続補正１１】
【補正対象書類名】明細書
【補正対象項目名】００２３
【補正方法】変更
【補正の内容】
【００２３】
任意選択により、前記複合導線に含まれるサブ導線の形状は、円弧形状、正弦波形状及び波形状のうちの１つ又は複数を含んでもよい。
【手続補正１２】
【補正対象書類名】明細書
【補正対象項目名】００２４
【補正方法】変更
【補正の内容】
【００２４】
説明しておきたいのは、前記複合導線に含まれるサブ導線の形状は、楕円形状、円形状、ダブル曲線形状、放物線形状などであってもよく、特に限定されることがない。
【手続補正１３】
【補正対象書類名】明細書
【補正対象項目名】００２５
【補正方法】変更
【補正の内容】
【００２５】
任意選択により、前記複合導線に含まれるサブ導線の幅の合計は、前記単導線の幅と同じであってもよく、又は異なってもよい。
【手続補正１４】
【補正対象書類名】明細書
【補正対象項目名】００３３
【補正方法】変更
【補正の内容】
【００３３】
本発明の実施例に係る導線は、有機発光ダイオードＯＬＥＤ装置に用いられるものであって、三つの部分を含み、第１部分及び第３部分は、前記導線の両端に位置付けられる単導線であり、第２部分は、前記第１部分と前記第３部分との間に位置付けられる複合導線であり、前記複合導線は、少なくとも２本のサブ導線を含むものである。１本の導線の中間部分を複数本のサブ導線に分割することで、単導線の幅を変更する目的を実現できるため、ＯＬＥＤ装置における導線の使用に影響を与えることなく、導線の展延性を向上させることができ、折り畳み過程において導線に断裂が発生することによりＯＬＥＤ装置の通常動作ができなくなるという課題を有効に回避でき、ＯＬＥＤの使用寿命を有効に改善することができる。
【手続補正１５】
【補正対象書類名】明細書
【補正対象項目名】００３５
【補正方法】変更
【補正の内容】
【００３５】
ステップ４０１：ターゲット導線の先端からの第１長さの部分を前記導線の第１部分とする。ここで、第１長さは、ＯＬＥＤ装置の必要に応じて設定することができ、本発明の実施例により限定されるものではない。
【手続補正１６】
【補正対象書類名】明細書
【補正対象項目名】００３６
【補正方法】変更
【補正の内容】
【００３６】
ステップ４０２：前記第１部分の基端からのターゲット導線の第２長さの部分を、設定される導線幅に合わせるように少なくとも２本のサブ導線に切断することで、前記導線の第２部分を取得する。ここで、前記少なくとも２本のサブ導線の導線幅が、同じ又は異なってもよい。
【手続補正１７】
【補正対象書類名】明細書
【補正対象項目名】００３７
【補正方法】変更
【補正の内容】
【００３７】
ステップＳ４０２において、ターゲット導線の第２長さの部分を設定される導線幅に合わせるように少なくとも２本のサブ導線に切断することは、フォトリソグラフィで、切断してもよく、その他の方式で、切断してもよく、当該導線パターンのマスク（ｍａｓｋ）で直接製造してもよく、ここで、特に限定されない。
【手続補正１８】
【補正対象書類名】明細書
【補正対象項目名】００３８
【補正方法】変更
【補正の内容】
【００３８】
任意選択により、ターゲット導線の第２長さの部分を設定される導線幅に合わせるように少なくとも２本のサブ導線に切断するとき、当該方法は、切断により得られる少なくとも２本のサブ導線を平滑な曲線に作製することを更に含んでもよい。任意選択により、前記少なくとも２本のサブ導線の形状は、円弧形状、正弦波形状及び波形状のうちの１つ又は複数を含んでもよい。
【手続補正１９】
【補正対象書類名】明細書
【補正対象項目名】００３９
【補正方法】変更
【補正の内容】
【００３９】
ステップＳ４０３：前記少なくとも２本のサブ導線の基端において、前記少なくとも２本のサブ導線の基端を設定された第３長さの１本の導線にまとめることで、前記導線の第３部分を取得する。
【手続補正２０】
【補正対象書類名】特許請求の範囲
【補正対象項目名】全文
【補正方法】変更
【補正の内容】
【特許請求の範囲】
【請求項１】
有機発光ダイオードＯＬＥＤ装置に用いられる導線であって、
第１部分、第２部分及び第３部分の順で接続される第１部分、第２部分及び第３部分を含み、前記第１部分及び前記第３部分は、前記導線の両端に位置付けられる単導線であり、
前記第２部分は、前記第１部分と前記第３部分との間に位置付けられる複合導線であり、
前記複合導線は、少なくとも２本のサブ導線を含む
ことを特徴とする導線。
【請求項２】
前記複合導線に含まれるそれぞれの導線の形状は、平滑な曲線である
ことを特徴とする請求項１に記載の導線。
【請求項３】
前記複合導線に含まれる導線の形状は、円弧形状、正弦波形状及び波形状のうちの１つ又は複数を含む
ことを特徴とする請求項２に記載の導線。
【請求項４】
前記複合導線に含まれる導線の幅の合計は、前記単導線の幅と同じ又は異なる
ことを特徴とする請求項１に記載の導線。
【請求項５】
請求項１から４までのいずれか１項に記載の導線を作製する方法であって、
ターゲット導線の先端からの第１長さの部分を前記導線の第１部分とすることと、
前記第１部分の基端からのターゲット導線の第２長さの導線を、設定される導線幅に合わせるように少なくとも２本のサブ導線に切断することで、前記導線の第２部分を取得することと、
前記少なくとも２本のサブ導線の基端において、前記少なくとも２本のサブ導線の基端を設定された第３長さの１本の導線にまとめることで、前記導線の第３部分を取得することとを含み、
前記少なくとも２本のサブ導線の導線幅が、同じ又は異なる
ことを特徴とする導線作製方法。
【請求項６】
ターゲット導線の第２長さの部分を、設定される導線幅に合わせるように少なくとも２本のサブ導線に切断するとき、当該方法は、
切断により得られる少なくとも２本のサブ導線を平滑な曲線に作製することを更に含む
ことを特徴とする請求項５に記載の導線作製方法。
【請求項７】
前記少なくとも２本のサブ導線の形状は、円弧形状、正弦波形状及び波形状のうちの１つ又は複数を含む
ことを特徴とする請求項６に記載の導線作製方法。
【手続補正２１】
【補正対象書類名】図面
【補正対象項目名】図４
【補正方法】変更
【補正の内容】
【図４】
2019506748.tif 000008
【国際調査報告】
2019506748.tif 000009
2019506748.tif 000010
2019506748.tif 000011
2019506748.tif 000012